(57)【要約】【課題】照明器具本体を嵌合係止させるた為のプラグ本体を壁面に取り付けることにより、照明器具本体が着脱可能となり、更に、天井に取り付けられるための照明器具との互換性を持たせた照明器具取付装置を提供する。【解決手段】壁面１６に取り付けるためのフランジ４を設けたプラグ本体２の周面に係止段部９を設け、前記プラグ本体２を嵌入する嵌入孔１５と前記嵌入孔１５の内周面に出没自在に設けた一対の係止部材とを備えたアダプタ本体３と、前記アダプタ本体３を取り付けた照明器具本体１９とを備え、前記プラグ本体２の係止段部９に、前記アダプタ本体３の一対の係止部材が着脱自在に係止され、更に、プラグ本体２において、壁内から配線された電源線の接続及び解除を可能にする速結端子部６を設けた。【選択図】      図７
2006164927.tif 000002
【特許請求の範囲】
【請求項１】
壁面に取り付ける為のフランジを設けたプラグ本体の周面に係止段部を設け、前記プラグ本体を嵌入する嵌入孔と前記嵌入孔の内周面に径方向に出没自在に設けた一対の係止部材とを備えたアダプタ本体と、前記アダプタ本体を取り付けた照明器具とを備え、前記プラグ本体の係止段部に、前記アダプタ本体の一対の係止部材が着脱自在に係止され、前記プラグ本体は、壁内配線からの電源接続及び解除を可能にする速結端子部を備えたことを特徴とする壁直付け照明器具取付装置。
【発明の詳細な説明】
【技術分野】
【０００１】本発明は、壁面に取付けられる照明器具を着脱自在に取付支持する壁直付け照明器具取付装置に関する。
【背景技術】
【０００２】従来、壁面に取り付けられる照明器具は照明器具本体板金に取付用のビス穴を設け、ネジ等を用いて直接に照明器具本体を取り付けていた。
【発明の開示】
【発明が解決しようとする課題】
【０００３】上述の取付方法であると、照明器具本体をネジ等で取り付けた場合、照明器具本体の着脱は不可能であった。【０００４】本発明の目的は、照明器具本体を嵌合係止させる為のプラグ本体を壁面に取り付けることにより、照明器具本体が着脱可能となり、更に、天井に取り付けられるための照明器具との互換性を持たせた照明器具取付装置を提供することにある。
【課題を解決するための手段】
【０００５】本発明の壁直付け照明器具取付装置は、壁面に取り付ける為のフランジを設けたプラグ本体の周面に係止段部を設け、前記プラグ本体を嵌入する嵌入孔と前記嵌入孔の内周面径方向に出没自在に設けた一対の係止部材とを備えたアダプタ本体と、前記アダプタ本体を取り付けた照明器具とを備え、前記プラグ本体の係止段部に、前記アダプタ本体の一対の係止部材が着脱自在に係止される。【０００６】上述の構成に加え、プラグ本体において、壁内から配線された電源線の接続及び解除を容易に可能とした速結端子部を設けたことを特徴とする。
【発明の効果】
【０００７】請求項１に係わる壁直付け照明器具取付装置によれば、照明器具本体を嵌合係止させる為のプラグ本体を壁面に取り付けることにより、照明器具本体が自在に着脱可能となり、更に、天井に取り付けられるための照明器具との互換性を持たせることができる。
【発明を実施するための最良の形態】
【０００８】以下、本発明の実施の形態を図面を参照して説明する。
図１は、プラグ本体２の正面図及び上面図であり、図２はプラグ本体２の斜視図である。壁面１６に取り付ける為の取付穴５を設けたフランジ４をプラグ本体２のフランジ固定外郭部２ａにビス等の取付手段により固定し、プラグ本体２には壁内から配線された電線の電源接続及び解除を容易にする解除ボタン８を具備した速結端子部６を有する。更に、フランジ固定外郭部２ａの下方に向かって筒状をなした筒状部２ｂを一体に備え、前記筒状部２ｂには係止段部９が設けられている。尚、係止段部９はプラグ本体２の筒状部２ｂを径小に形成することで、周方向全長に形成されている。【０００９】プラグ本体２の下面からは、接続コ−ド１０が延出され、接続コ−ド１０の先端にはコネクタＡ１１が装着されている。速結端子部６に電源線を電線挿入穴７に挿入すると、接続コ−ド１０が屋内配線と電気的に接続されるようになっている。また、電線解除は速結端子部６に具備する解除ボタン８を押すことで容易に電線解除が可能となる。【００１０】図３は、アダプタ本体３の斜視図である。アダプタ本体３は照明器具本体１８の天板下面に取り付けられる。アダプタ本体３の中央には、プラグ本体２の筒状部２ｂを嵌入するための円形の嵌入孔１５が設けられている。嵌入孔１５の内周面には一対の係止爪１４が相対向する位置に、且つ、径方向に出没自在に設けられる。また、係止爪１４は図示していない各係止部材の先端部に形成されているものであり、各係止部材は、アダプタ本体３に内蔵された付勢スプリング（図示せず）によって嵌入孔１５の内周面から中心に向けて突出する方向に付勢されている。さらに、係止爪１４の上面内端部は、上から押圧された時に係止爪１４がアダプアタ本体内に没入する面、即ち、上に行くほど外方へ向かうように傾斜したテ−パ部１８が形成されており、常態においてこのテ−パ部１８が嵌入孔１５の内周面から突出するようになっている。【００１１】図４は、プラグ本体２を壁面１６に取り付ける工程の斜視図である。
壁内から配線された電源線（図示せず）を速結端子部６の電線挿入穴７に入接続し、プラグ本体２のフランジ４に設けてある取付穴５にビス１２を締め付け壁面１６に固定する。【００１２】図５は、当核壁面直付け照明器具取付装置１の斜面図であり、図６は前記照明器具取付装置１におけるプラグ本体２とアダプタ本体３を取り付けた照明器具本体１９を嵌合係止させた状態の断面図である。
照明器具本体１９に取り付けられたアダプタ本体３の嵌入孔１５にプラグ本体２の係止段部９を形成された筒状部２ｂに押圧嵌入させることでアダプタ本体３に具備する係止爪１４が付勢スプリングの付勢力によってプラグ本体２の係止段部９に係止状態となり、照明器具本体１９は壁面１６に取り付けられる。さらに、係止部材の下面には解除レバ−１３がそれぞれ一体に設けられると共に、これらの解除レバ−１３の下部がアダプタ本体３の下面に露出している。従って、解除レバ−１３を外周方向へ移動させると、係止爪１４はアダプタ本体３の内部へ没入し、照明器具本体１９は係止状態が解除されプラグ本体２から取り外すことができる。【００１３】図７は、壁面１６に取り付けられたプラグ本体２にアダプタ本体３を取り付けた照明器具本体１９を嵌入係止させようとする状態斜視図であり、図８は前記照明器具取付装置１を嵌入係止させた状態の斜視図である。
壁面１６に取り付けられたプラグ本体２にアダプタ本体３が取り付けられた照明器具本体１９を嵌入係止させ、コネクタＡ１１を照明器具本体１９からのコネクタＢ１７に接続する。最後に、ランプセ−ド２０を照明器具本体１９へ取り付けて完了する。【００１４】以上により、当核壁面直付け照明器具取付装置１の着脱可能な取付手段にすることで、容易に照明器具本体１９を着脱可能とし、当核アダプタ本体３を天井に取り付けられるための照明器具本体側に取り付けることにより、壁面取付及び天井面取付の互換性を持たせることが可能な壁面直付け照明器具取付装置である。
【図面の簡単な説明】
【００１５】
【図１】プラグ本体の側面図である。
【図２】プラグ本体の斜面図である。
【図３】アダプタ本体の斜面図である。
【図４】プラグ本体を壁面に取り付けする工程の斜視図である。
【図５】本発明の壁面直付け照明器具取付装置の斜視図である。
【図６】プラグ本体にアダプタ本体が取り付けられた照明器具を嵌入係止させた状態の断面図。
【図７】実施形態の壁面直付け照明器具取付装置において照明器具を嵌入係止させる工程の斜視図である。
【図８】実施形態の壁面直付け照明器具取付装置において照明器具を嵌入係止させた斜視図である。
【付号の説明】
【００１６】  １    照明器具取付装置
２    プラグ本体
２ａ  フランジ固定外郭部
２ｂ  筒状部
３    アダプタ本体
４    フランジ
５    取付穴
６    速結端子部
７    電線挿入穴
８    解除ボタン
９    係止段部
１０    接続コ−ド
１１    コネクタＡ
１２    ビス
１３    解除レバ−
１４    係止爪
１５    嵌入孔
１６    壁面
１７    コネクタＢ
１８    テ−パ部
１９    照明器具本体
２０    ランプセ−ド
【図１】
2006164927.tif 000003
【図２】
2006164927.tif 000004
【図３】
2006164927.tif 000005
【図４】
2006164927.tif 000006
【図５】
2006164927.tif 000007
【図６】
2006164927.tif 000008
【図７】
2006164927.tif 000009
【図８】
2006164927.tif 000010